(57)【要約】【課題】端末情報のアップリンクシステムにおいて、アップリンク契機をセンタから端末に対して動的に指定することができるとともに、重複したアップリンク契機が存在する場合、これを統合することができる、端末情報のアップリンク指定システムを提供することを目的とする。【解決手段】センタサーバ１１０では、「端末情報（例えば、現在位置の情報など）」をアップリンクする契機を端末自身に判定させるための「アップリンク判定条件」を指定し、この「アップリンク判定条件」を車載端末１０などに送信する。車載端末１０では、センタサーバ１１０から受信した「アップリンク判定条件」を基に、「端末情報」をセンタサーバ１１０にアップリンクする契機を判定し、アップリンク契機が訪れると、「端末情報」をセンタサーバ１１０にアップリンクする。【選択図】  図１
2004282611.tif 000002
【特許請求の範囲】
【請求項１】
端末と、該端末からアップリンクされる端末情報を受信するセンタサーバとが通信回線で接続される端末情報のアップリンク指定システムにおいて、
前記センタサーバには、
前記端末に対して、端末情報をセンタサーバにアップリンクする契機を前記端末に判定させるためのアップリンク判定条件を指定するアップリンク判定条件指定手段と、
前記アップリンク判定条件の情報を前記端末に送信するアップリンク判定条件送信手段とを備え、
前記端末には、前記アップリンク判定条件を受信するアップリンク判定条件受信手段と、
前記アップリンク判定条件を基に、端末情報をアップリンクする契機を判定するアップリンク契機判定手段とを備えることを特徴とする端末情報のアップリンク指定システム。
【請求項２】
端末と、該端末からアップリンクされる端末情報を受信するセンタサーバとが通信回線で接続される端末情報のアップリンク指定システムにおける前記センタサーバであって、
前記端末に対して、端末情報をセンタサーバにアップリンクする契機を前記端末に判定させるためのアップリンク判定条件を指定するアップリンク判定条件指定手段と、
前記アップリンク判定条件の情報を前記端末に送信するアップリンク判定条件送信手段と、
前記端末において前記アップリンク判定条件を基に判定されたアップリンク契機に、前記端末からアップリンクされる端末情報を受信する端末情報受信手段とを備えることを特徴とするセンタサーバ。
【請求項３】
前記センタサーバには、
前記端末に対して複数の独立したアップリンク判定条件の指定が可能であり、かつ重複したアップリンク判定条件が存在する場合には、これを統合するアップリンク判定条件統合手段をさらに備えることを特徴とする請求項２に記載のセンタサーバ。
【請求項４】
前記センタサーバには、
端末にサービス情報を提供する１または２以上のサービスサーバに対して端末情報を通知する端末情報通知手段と、
前記端末情報を基にサービスサーバにより算出されたアップリンク判定条件を、前記サービスサーバから受信するためのアップリンク判定条件受信手段と、
前記サービスサーバから受信したアップリンク判定条件に重複したアップリンク判定条件が存在する場合に、これを統合するためのアップリンク判定条件統合手段をさらに備えることを特徴とする請求項２または請求項３に記載のセンタサーバ。
【請求項５】
端末と、該端末からアップリンクされる端末情報を受信するセンタサーバとが通信回線で接続される端末情報のアップリンク指定システムにおける前記端末であって、
前記センタサーバから、端末情報をセンタサーバにアップリンクする契機を判定するためのアップリンク判定条件を受信するアップリンク判定条件受信手段と、
前記アップリンク判定条件を基に、端末情報をアップリンクする契機を判定するアップリンク契機判定手段と、
前記アップリンク契機判定手段により、アップリンク契機と判定された場合に、端末情報をセンタサーバにアップリンクするアップリンク手段とを備えることを特徴とする端末。
【請求項６】
端末と、該端末からアップリンクされる端末情報を受信するセンタサーバとが通信回線で接続される端末情報のアップリンク指定システムにおける端末情報のアップリンク指定方法おいて、
前記センタサーバにより、
前記端末に対して、端末情報をセンタサーバにアップリンクする契機を前記端末に判定させるためのアップリンク判定条件を指定するアップリンク判定条件指定手順と、
前記アップリンク判定条件の情報を前記端末に送信するアップリンク判定条件送信手順とが行われ、
前記端末により、
前記アップリンク判定条件を受信するアップリンク判定条件受信手順と、
前記アップリンク判定条件を基に、端末情報をアップリンクする契機を判定するアップリンク契機判定手順とが行われることを特徴とする端末情報のアップリンク指定方法。
【請求項７】
端末と、該端末からアップリンクされる端末情報を受信するセンタサーバとが通信回線で接続される端末情報のアップリンク指定システムにおける前記センタサーバによる端末情報のアップリンク指定方法であって、
前記端末に対して、端末情報をセンタサーバにアップリンクする契機を前記端末に判定させるためのアップリンク判定条件を指定するアップリンク判定条件指定手順と、
前記アップリンク判定条件の情報を前記端末に送信するアップリンク判定条件送信手順と、
前記端末において前記アップリンク判定条件を基に判定されたアップリンク契機に、前記端末からアップリンクされる端末情報を受信する端末情報受信手順とを含むことを特徴とする端末情報のアップリンク指定方法。
【請求項８】
端末と、該端末からアップリンクされる端末情報を受信するセンタサーバとが通信回線で接続される端末情報のアップリンク指定システムにおける前記センタサーバ内のコンピュータに、
前記端末に対して、端末情報をセンタサーバにアップリンクする契機を前記端末に判定させるためのアップリンク判定条件を指定するアップリンク判定条件指定手順と、
前記アップリンク判定条件の情報を前記端末に送信するアップリンク判定条件送信手順と、
前記端末において前記アップリンク判定条件を基に判定されたアップリンク契機に、前記端末からアップリンクされる端末情報を受信する端末情報受信手順とを実行させるためのプログラムを記録したコンピュータ読み取り可能な記録媒体。
【請求項９】
端末と、該端末からアップリンクされる端末情報を受信するセンタサーバとが通信回線で接続される端末情報のアップリンク指定システムにおける前記端末内のコンピュータに、
前記センタサーバから、端末情報をセンタサーバにアップリンクする契機を判定するためのアップリンク判定条件を受信するアップリンク判定条件受信手順と、
前記アップリンク判定条件を基に、端末情報をアップリンクする契機を判定するアップリンク契機判定手順と、
前記アップリンク契機判定手順により、アップリンク契機と判定された場合に、端末情報をセンタサーバにアップリンクするアップリンク手順とを実行させるためのプログラムを記録したコンピュータ読み取り可能な記録媒体。
【請求項１０】
端末と、該端末からアップリンクされる端末情報を受信するセンタサーバとが通信回線で接続される端末情報のアップリンク指定システムにおける前記センタサーバ内のコンピュータに、
前記端末に対して、端末情報をセンタサーバにアップリンクする契機を前記端末に判定させるためのアップリンク判定条件を指定するアップリンク判定条件指定手順と、
前記アップリンク判定条件の情報を前記端末に送信するアップリンク判定条件送信手順と、
前記端末において前記アップリンク判定条件を基に判定されたアップリンク契機に、前記端末からアップリンクされる端末情報を受信する端末情報受信手順とを実行させるためのプログラム。
【請求項１１】
端末と、該端末からアップリンクされる端末情報を受信するセンタサーバとが通信回線で接続される端末情報のアップリンク指定システムにおける前記端末内のコンピュータに、
前記センタサーバから、端末情報をセンタサーバにアップリンクする契機を判定するためのアップリンク判定条件を受信するアップリンク判定条件受信手順と、
前記アップリンク判定条件を基に、端末情報をアップリンクする契機を判定するアップリンク契機判定手順と、
前記アップリンク契機判定手順により、アップリンク契機と判定された場合に、端末情報をセンタサーバにアップリンクするアップリンク手順とを実行させるためのプログラム。
【発明の詳細な説明】
【０００１】
【発明の属する技術分野】
本発明は、移動体などの端末の位置情報などを無線通信を経由して随時センタにアップリンクする端末情報のアップリンクシステムにおいて、アップリンク契機をセンタから端末に対して動的に指定することができる、端末情報のアップリンク指定システム、センタサーバ、端末、端末情報のアップリンク指定方法、およびプログラムに関する。
【０００２】
【従来の技術】
従来のシステムでは移動体などの端末側より必要な時に必要な情報をオンデマンドにてアップリンクし、必要な情報を得るというシステムが既に多く存在する。また、端末側にいくつかのアップリンク契機を事前に記憶しておき、アップリンク契機が訪れた時点でアップリンクを行うという技術が既に存在する。また、センタからのポーリングによって端末の情報をセンタにて取得する技術があった。
【０００３】
しかしながら、従来の技術では、必要に応じてセンタ側からアップリンク契機を動的に変更することができなかった。したがって、その都度通信が発生することになり、通信量の増大による処理効率の低下と通信コストの増大を生じていた。
【０００４】
なお、本発明に関連する先行技術として、例えば、特許文献１（遠隔監視制御システムの端末機能の設定器）に開示された発明がある。この発明は、遠隔監視制御システムの施工前も施工後も共に、端末器への端末機能データの設定作業が容易に出来るようにした遠隔監視制御システムの端末機能の設定器の構成を提供することを目的とし、センタから端末へ遠隔で設定値を設定する機能を有する。
【０００５】
しかしながら、本発明は、センタから端末へ端末位置や時間に応じたアップリンク判定条件を与える点、また、センタから端末への通信のトリガを端末からでもかけることが可能である点、また、複数のサービスが端末にアップリンク条件を与える場合に、同一のアップリンク条件で有ればこれを統合する点において、特許文献１の発明とは異なるものである。
【０００６】
【特許文献１】
特開平６−１５３２８２号公報
【０００７】
【発明が解決しようとする課題】
本発明はこのような問題を解決するためになされたもので、その目的は、移動体などの端末の位置情報などを無線通信を経由して随時センタにアップリンクする端末情報のアップリンクシステムにおいて、アップリンク契機をセンタから端末に対して動的に指定することができるとともに、重複したアップリンク契機が存在する場合、これを統合することができる、端末情報のアップリンク指定システム、センタサーバ、端末、端末情報のアップリンク指定方法、およびプログラムを提供することにある。
【０００８】
【課題を解決するための手段】
本発明は上記課題を解決するためになされたものであり、本発明の端末情報のアップリンク指定システムは、端末と、該端末からアップリンクされる端末情報を受信するセンタサーバとが通信回線で接続される端末情報のアップリンク指定システムにおいて、前記センタサーバには、前記端末に対して、端末情報をセンタサーバにアップリンクする契機を前記端末に判定させるためのアップリンク判定条件を指定するアップリンク判定条件指定手段と、前記アップリンク判定条件の情報を前記端末に送信するアップリンク判定条件送信手段とを備え、前記端末には、前記アップリンク判定条件を受信するアップリンク判定条件受信手段と、前記アップリンク判定条件を基に、端末情報をアップリンクする契機を判定するアップリンク契機判定手段とを備えることを特徴とする。
これにより、センタ主導により、「アップリンク判定条件」を指定して、端末側から端末情報をアップリンクさせることができる。また、「アップリンク判定条件」を変更することにより、アップリンク契機を動的に変更することができる。
【０００９】
また、本発明のセンタサーバは、端末と、該端末からアップリンクされる端末情報を受信するセンタサーバとが通信回線で接続される端末情報のアップリンク指定システムにおける前記センタサーバであって、前記端末に対して、端末情報をセンタサーバにアップリンクする契機を前記端末に判定させるためのアップリンク判定条件を指定するアップリンク判定条件指定手段と、前記アップリンク判定条件の情報を前記端末に送信するアップリンク判定条件送信手段と、前記端末において前記アップリンク判定条件を基に判定されたアップリンク契機に、前記端末からアップリンクされる端末情報を受信する端末情報受信手段とを備えることを特徴とする。
これにより、センタ主導により、「アップリンク判定条件」を指定して、端末側から端末情報をアップリンクさせることができる。また、「アップリンク判定条件」を変更することにより、アップリンク契機を動的に変更することができる。
【００１０】
また、本発明のセンタサーバは、前記センタサーバには、前記端末に対して複数の独立したアップリンク判定条件の指定が可能であり、かつ重複したアップリンク判定条件が存在する場合には、これを統合するアップリンク判定条件統合手段をさらに備えることを特徴とする。
これにより、重複した「アップリンク判定条件（アップリンク契機）」を統合することができ、通信を効率的に行うことができる。
【００１１】
また、本発明のセンタサーバは、前記センタサーバには、端末にサービス情報を提供する１または２以上のサービスサーバに対して端末情報を通知する端末情報通知手段と、前記端末情報を基にサービスサーバにより算出されたアップリンク判定条件を、前記サービスサーバから受信するためのアップリンク判定条件受信手段と、前記サービスサーバから受信したアップリンク判定条件に重複したアップリンク判定条件が存在する場合に、これを統合するためのアップリンク判定条件統合手段をさらに備えることを特徴とする。
これにより、一つの端末に複数のサービスサーバがサービス情報を提供する場合に、重複した「アップリンク判定条件（アップリンク契機）」を統合することで、通信を効率的に行うことができる。
【００１２】
また、本発明の端末は、端末と、該端末からアップリンクされる端末情報を受信するセンタサーバとが通信回線で接続される端末情報のアップリンク指定システムにおける前記端末であって、前記センタサーバから、端末情報をセンタサーバにアップリンクする契機を判定するためのアップリンク判定条件を受信するアップリンク判定条件受信手段と、前記アップリンク判定条件を基に、端末情報をアップリンクする契機を判定するアップリンク契機判定手段と、前記アップリンク契機判定手段により、アップリンク契機と判定された場合に、端末情報をセンタサーバにアップリンクするアップリンク手段とを備えることを特徴とする。
これにより、センタ主導により、「アップリンク判定条件」を指定して、端末側から端末情報をアップリンクさせることができる。また、アップリンク判定条件を変更することにより、アップリンク契機を動的に変更することができる。
【００１３】
また、本発明の端末情報のアップリンク指定方法は、端末と、該端末からアップリンクされる端末情報を受信するセンタサーバとが通信回線で接続される端末情報のアップリンク指定システムにおける端末情報のアップリンク指定方法おいて、前記センタサーバにより、前記端末に対して、端末情報をセンタサーバにアップリンクする契機を前記端末に判定させるためのアップリンク判定条件を指定するアップリンク判定条件指定手順と、前記アップリンク判定条件の情報を前記端末に送信するアップリンク判定条件送信手順とが行われ、前記端末により、前記アップリンク判定条件を受信するアップリンク判定条件受信手順と、前記アップリンク判定条件を基に、端末情報をアップリンクする契機を判定するアップリンク契機判定手順とが行われることを特徴とする。
これにより、センタ主導により、「アップリンク判定条件」を指定して、端末側から端末情報をアップリンクさせることができる。また、「アップリンク判定条件」を変更することにより、アップリンク契機を動的に変更することができる。
【００１４】
また、本発明の端末情報のアップリンク指定方法は、端末と、該端末からアップリンクされる端末情報を受信するセンタサーバとが通信回線で接続される端末情報のアップリンク指定システムにおける前記センタサーバによる端末情報のアップリンク指定方法であって、前記端末に対して、端末情報をセンタサーバにアップリンクする契機を前記端末に判定させるためのアップリンク判定条件を指定するアップリンク判定条件指定手順と、前記アップリンク判定条件の情報を前記端末に送信するアップリンク判定条件送信手順と、前記端末において前記アップリンク判定条件を基に判定されたアップリンク契機に、前記端末からアップリンクされる端末情報を受信する端末情報受信手順とを含むことを特徴とする。
これにより、センタ主導により、「アップリンク判定条件」を指定して、端末側から端末情報をアップリンクさせることができる。また、「アップリンク判定条件」を変更することにより、アップリンク契機を動的に変更することができる。
【００１５】
また、本発明のコンピュータ読み取り可能な記録媒体は、端末と、該端末からアップリンクされる端末情報を受信するセンタサーバとが通信回線で接続される端末情報のアップリンク指定システムにおける前記センタサーバ内のコンピュータに、前記端末に対して、端末情報をセンタサーバにアップリンクする契機を前記端末に判定させるためのアップリンク判定条件を指定するアップリンク判定条件指定手順と、前記アップリンク判定条件の情報を前記端末に送信するアップリンク判定条件送信手順と、前記端末において前記アップリンク判定条件を基に判定されたアップリンク契機に、前記端末からアップリンクされる端末情報を受信する端末情報受信手順とを実行させるためのプログラムを記録したコンピュータ読み取り可能な記録媒体である。
【００１６】
また、本発明のコンピュータ読み取り可能な記録媒体は、端末と、該端末からアップリンクされる端末情報を受信するセンタサーバとが通信回線で接続される端末情報のアップリンク指定システムにおける前記端末内のコンピュータに、前記センタサーバから、端末情報をセンタサーバにアップリンクする契機を判定するためのアップリンク判定条件を受信するアップリンク判定条件受信手順と、前記アップリンク判定条件を基に、端末情報をアップリンクする契機を判定するアップリンク契機判定手順と、前記アップリンク契機判定手順により、アップリンク契機と判定された場合に、端末情報をセンタサーバにアップリンクするアップリンク手順とを実行させるためのプログラムを記録したコンピュータ読み取り可能な記録媒体である。
【００１７】
また、本発明のコンピュータプログラムは、端末と、該端末からアップリンクされる端末情報を受信するセンタサーバとが通信回線で接続される端末情報のアップリンク指定システムにおける前記センタサーバ内のコンピュータに、前記端末に対して、端末情報をセンタサーバにアップリンクする契機を前記端末に判定させるためのアップリンク判定条件を指定するアップリンク判定条件指定手順と、前記アップリンク判定条件の情報を前記端末に送信するアップリンク判定条件送信手順と、前記端末において前記アップリンク判定条件を基に判定されたアップリンク契機に、前記端末からアップリンクされる端末情報を受信する端末情報受信手順とを実行させるためのプログラムである。
【００１８】
また、本発明のコンピュータプログラムは、端末と、該端末からアップリンクされる端末情報を受信するセンタサーバとが通信回線で接続される端末情報のアップリンク指定システムにおける前記端末内のコンピュータに、前記センタサーバから、端末情報をセンタサーバにアップリンクする契機を判定するためのアップリンク判定条件を受信するアップリンク判定条件受信手順と、前記アップリンク判定条件を基に、端末情報をアップリンクする契機を判定するアップリンク契機判定手順と、前記アップリンク契機判定手順により、アップリンク契機と判定された場合に、端末情報をセンタサーバにアップリンクするアップリンク手順とを実行させるためのプログラムである。
【００１９】
【発明の実施の形態】
次に本発明の実施の形態例について図面を参照して説明する。
【００２０】
図１は、本発明による端末情報のアップリンク指定システムの全体構成の例を示す図であり、端末情報のアップリンク指定システムは、携帯電話などの通信端末３、ＰＤＡ（Ｐｅｒｓｏｎａｌ  Ｄｉｇｉｔａｌ  Ａｓｓｉｓｔａｎｔｓ）などの携帯式の通信端末４、車両５内の車載端末１０、単数あるいは複数のセンタサーバ１１０を備えたセンタ１００、端末・センタ間の通信を仲介する有線通信ネットワーク１及び無線通信ネットワーク２などから構成される。また、車載端末１０、通信端末３及び通信端末４はＧＰＳなどの位置取得機能備え、センタ１００のセンタサーバ１１０と無線通信可能に構成される。またセンタサーバ１１０はＬＡＮ等により接続され、通信制御装置１０１を介して有線通信ネットワーク１と接続される。また、車両５には、車載端末１０とともに、ＧＰＳなどの位置取得装置１１、無線通信端末１２、カーナビゲイションシステム１３が設備される。
【００２１】
図１に示すシステム構成の基に、本発明では、以下のような手順でアップリンクが行われる。まず、通信端末４、車載端末１０などの端末から、「端末情報（例えば、端末の現在位置の情報など）」を、センタサーバ１１０にアップリンクする。この際に、センタサーバ１１０は「リプライ情報」として、アップリンクするタイミング（アップリンク契機）を判定するための「アップリンク判定条件（図１０参照）」を端末に返信する。端末は受信した「アップリンク判定条件」を基にアップリンクタイミング（アップリンク契機）を判定し、条件が満たされると、センタサーバ１１０に対して、再び「端末情報」をアップリンクする。これを逐次行うことにより、センタサーバ１１０は端末に動的に「アップリンク判定条件」を送信することが可能となる。なお、センタサーバ１１０では、アップリンクされた「端末情報」を管理・蓄積し、必要な処理（例えば、端末の位置登録など）を行う。
【００２２】
また、図２は、本発明の端末情報のアップリンク指定システムの基本的な手段（機能）の構成例を示す図であり、端末情報のアップリンク指定システムに必要な最も基本となる手段の構成例を示したものであり、端末２０の状況に応じて、センタサーバ１１０により「アップリンク判定条件」を指定する場合で例である。
【００２３】
図２において、センタサーバ１１０内の端末情報受信手段１１１は、端末２０（図１に示す通信端末３、４や車載端末１０など）から、端末情報（例えば、端末の現在位置の情報など）を受信するための手段である。また、アップリンク判定条件指定手段１１２は、端末２０から受信した「端末情報」を基に、「次のアップリンク判定条件」を指定（生成）するための手段である。そして、アップリンク判定条件送信手段１１３は、アップリンク判定条件指定手段１１２により指定された「アップリンク判定条件」を端末２０に送信するための手段である。
【００２４】
また、端末２０において、アップリンク手段２１は、端末２０の端末情報（例えば、位置情報など）をセンタサーバ１１０に送信するための手段であり、アップリンク判定条件受信手段２２は、センタサーバ１１０から「アップリンク判定条件」を受信するための手段である。
【００２５】
また、アップリンク契機判定手段２３は、センタサーバ１１０から受信した「アップリンク判定条件」を基に、端末情報をセンタサーバ１１０にアップリンクするタイミング（アップリンク契機）を端末２０自身で判定するための手段であり、アップリンク契機が訪れた時（アップリンク判定条件が満たされた時）には、アップリンク手段２１により、センタサーバ１１０に端末情報を送信する。
【００２６】
また、図３は、本発明の端末情報のアップリンク指定システムの他の手段構成例を示す図であり、図２に示す手段の構成例を基本とし、さらに、端末２０にサービス情報（例えば、ＰＯＩ情報など）を提供するサービスサーバ２００が各サービスサーバ２００ごとに「アップリンク判定条件」を生成する場合の例を示している。なお、本例はサービスサーバ２００が複数の場合、すなわち、１つの端末２０に対して複数のサービスサーバ２００がサービス情報を提供する場合を想定した例であるが、サービスサーバが１つであってもよい。
【００２７】
図３において、センタサーバ１１０内の各手段は以下の機能を有する。
端末情報通知手段１１４は、端末２０から受信した端末情報を各サービスサーバ２００に通知するための手段である。アップリンク判定条件受信手段１１５は、サービスサーバ２００から、該サービスサーバ２００で生成された「アップリンク判定条件」を受信するための手段である。
アップリンク判定条件統合手段１１６は、端末２０にサービス情報を提供するサービスサーバ２００が複数あり、各サービスサーバ２００から複数の「アップリンク判定条件」を受信した場合に、重複した内容の「アップリンク判定条件」を統合してまとめるための手段である。
なお、端末情報受信手段１１１、アップリンク判定条件送信手段１１３は、図２の場合と同様である。
【００２８】
また、サービスサーバ２００内の各手段は、以下の機能を有する。
端末情報受信手段２０１は、センタサーバ１１０から送られる「端末情報」を受信するための手段である。また、アップリンク判定条件算出手段２０２は、センタサーバ１１０から受信した「端末情報」を基に、「アップリンク判定条件」を算出するための手段である。
アップリンク判定条件通知手段２０３は、アップリンク判定条件算出手段２０２で算出した「のアップリンク判定条件」を、センタサーバ１１０に送信するための手段である。
なお、端末２０内の各手段については、図２の場合と同様である。
【００２９】
また、図４は、端末２０とセンタサーバ１１０との間の処理の流れを示すシーケンス図であり、端末２０の状況に応じて、センタサーバ１１０によりアップリンク判定条件を指定する場合で例であり、端末２０に与えられるアップリンク契機が一つの場合、例えば、端末２０に一つの種類のサービスサーバが提供される場合の例である。以下、図４を参照して、その処理の流れについて説明する。
（１）まずセンタサーバ１１０から「端末情報アップリンク開始要求」が端末２０に対して送信される（ステップＳ１）。センタサーバ１１０から「端末情報アップリンク開始要求」を受信した端末２０は、正常受付（Ａｃｋ）、あるいはエラーのリプライ（Ｎａｃｋ）を行う（ステップＳ２）。
なお、図９は、「端末情報アップリンク開始要求」のデータ構成例を示す図であり、端末２０からセンタサーバ１１０に送信される「端末情報端末情報アップリンク開始要求」には、処理種別（端末情報端末情報アップリンク開始要求）の情報と、「アップリンク判定条件」を識別するためのアップリンクＩＤとが含まれる。
【００３０】
（２）端末２０は、正常受付（Ａｃｋ）をリプライした直後、端末情報（端末ＩＤや現在位置の情報など）をセンタサーバ１１０ヘアップリンクする（端末情報アップリンク：ステップＳ３）。センタサーバ１１０ではこれを受信し、端末２０が次にアップリンクすべき条件（次アップリンク判定条件）を取得し（ステップＳ４）、端末２０に対してリプライする（ステップＳ５）。
なお、図１０は、端末情報のアップリンク項目の例を示す図であり、端末２０からセンタサーバ１１０に送信されるデータには、「アップリンクＩＤ」、「座標系」、「測位時間」、「現在位置（Ｘ，Ｙ）」、「平均速度」、「道路種別」、「ルートＩＤ」、「目的地到着予定時刻」などが含まれる。
【００３１】
（３）端末２０では「次アップリンク判定条件」を受信し、新たな「アップリンク判定条件」とする。端末２０側では「アップリンク判定条件」の計算に必要なパラメータ（位置、走行距離など）を端末２０内の各センサ（例えば、ＧＰＳなど）より取得・処理し、この「アップリンク判定条件」を満たすまで判定演算を繰り返し行う。「アップリンク判定条件」が満たされた場合、端末２０は端末情報のアップリンクを行う（ステップＳ６）。
この端末情報アップリンク（ステップＳ６）と、これに続く次アップリンク判定条件の生成（ステップＳ７）、およびリプライ（ステップＳ８）の手順は繰り返し行われる。
なお、「アップリンク判定条件」の具体的な例を図１１に示す。図１１に示す例において、＜ｒｅｃｔ＞〜＜／ｒｅｃｔ＞間の記述は、２点を指定して矩形のゾーン（エリア）を指定する記述であり、端末２０が、このゾーンに入ったときをアップリンク契機とし、またこのエリアを出たときもアップリンク契機とするものである。同様にして、＜ｃｉｒｃｌｅ＞〜＜／ｃｉｒｃｌｅ＞間の記述は、円形のゾーンを指定するものである。また、＜ｉｎｔｅｒｖａｌ＞は、一定時間ごとにアップリンク契機を発生させるものであり、＜ｄｉｓｔａｎｃｅ＞は、一定距離ごとにアップリンク契機を発生させるものである。その他のものについては、説明を省くが、この例に示すように、アップリンク判定条件として、種々の判定条件を指定できるものである。
【００３２】
（４）端末情報のアップリンクを終了する場合は、センタサーバ１１０から端末２０に「端末情報アップリンク終了要求」を送信し（ステップＳ９）、端末２０は「端末情報アップリンク終了要求」を受信後、正常受付（Ａｃｋ）あるいはエラーのリプライ（Ｎａｃｋ）をセンタ１００に行い（ステップＳ１０）、正常受付の場合は、「アップリンク判定条件」をクリア（消去）し、端末情報アップリンク処理を終了する。
【００３３】
また、図５は、図４に示したシーケンス図を処理フローとして示したものであり、図４に示す場合と同様に、アップリンク契機が一つの場合、すなわち端末２０に提供されるサービス（情報の提供サービス）が一つの場合の処理フローを示す図である。以下、図５を参照して、その処理の流れについて説明する。
（１）まず、センタサーバ１１０では「端末情報アップリンク開始要求」を端末２０に送信する（ステップＳ１０１）。端末２０は、「端末情報アップリンク開始要求」を受信し（ステップＳ１０２）、正常受付（Ａｃｋ）、あるいはエラー（Ｎａｃｋ）のリプライを行う（ステップＳ１０３、Ｓ１０４）。
【００３４】
（２）端末２０は正常受付（Ａｃｋ）をリプライした直後、「端末情報」をセンタサーバ１１０に対してアップリンクする（ステップＳ１０５）。センタサーバ１１０では、端末２０から「端末情報」を受信し（ステップＳ１０６）、端末２０が次にアップリンクすべき条件（次アップリンク判定条件）を取得し（ステップＳ１０７）、端末２０に「次アップリンク判定条件」を通知する（ステップＳ１０８）。
【００３５】
（３）端末２０では、センタサーバ１１０から「次アップリンク判定条件」を受信し（ステップＳ１０９）、この「アップリンク判定条件」を基に、アップリンク契機になったかどうかを判定する（ステップＳ１１０）。アップリンク判定条件が満たされない場合は、そのまま待機状態となり、アップリンク判定条件が満たされると、再び「端末情報」をセンタサーバ１１０にアップリンクする（ステップＳ１０５）。
【００３６】
（４）端末情報のアップリンク処理を終了する場合は、センタサーバ１１０から端末２０に「端末情報アップリンク終了要求」を送信し（ステップＳ１１１）、端末２０は「端末情報アップリンク終了要求」を受信後（ステップＳ１１２）、正常受付（Ａｃｋ）あるいはエラーのリプライ（Ｎａｃｋ）をセンタ１００に行い、正常受付の場合は、「アップリンク判定条件」をクリア（消去）し、端末情報アップリンク処理を終了する（ステップＳ１１３、Ｓ１１４）。
【００３７】
また、図６は、端末２０と、センタサーバ１１０と、サービスサーバ２００及２００ａとの間の処理の流れを示す処理フローを示す図であり、端末２０に与えられるアップリンク契機が複数の場合、すなわち一つの端末に対して複数のサービス（情報の提供）が行われる場合の処理フローを示す図である。以下、図６を参照して、その処理の流れについて説明する。
（１）まず、サービスサーバ２００からセンタサーバ１１０に対し、「アップリンク開始要求」を行う（ステップＳ２０１）。センタサーバ１１０では「アップリンク開始要求」を受け付け（ステップＳ２０２）、アップリンクＩＤを割り当て、アップリンク要求元のサービスサーバ２００に割り振られたサービスサーバＩＤ（ＳＳＩＤ）とアップリンクＩＤの対応表をセンタサーバ１１０で保持した上で、端末２０に「端末情報アップリンク開始要求」を行う（ステップＳ２０３）。端末２０は、「端末情報アップリンク開始要求」を受信し（ステップＳ２０４）、正常受付（Ａｃｋ）、あるいはエラー（Ｎａｃｋ）のリプライを行う（ステップＳ２０５、Ｓ２０６）。
【００３８】
（２）端末２０は正常受付（Ａｃｋ）をリプライした直後、「端末情報」をセンタサーバ１１０ヘアップリンクする（ステップＳ２０７）。センタサーバ１１０では「端末情報」を受信し、アップリンクＩＤに対応したＳＳＩＤ表を参照し、「端末情報」をリクエストしたサービスサーバ２００を特定し、端末２０からの端末情報アップリンクをディスパッチし（ステップＳ２０８）、「端末情報」をサービスサーバ２００へ通知する。
【００３９】
（３）サービスサーバ２００では、センタサーバ１１０から「端末情報」を受信し（ステップＳ２０９）、端末２０が次にアップリンクすべき条件（次アップリンク判定条件）を算出し（ステップＳ２１０）、センタサーバ１１０に「アップリンク判定条件」を通知する（ステップＳ２１１）。
同様に、他のサービスサーバ２００ａでも、センタサーバ１１０に「アップリンク開始要求」を行うとともに（ステップＳ２０１ａ）、センタサーバ１１０から「端末情報」を受信した場合（ステップＳ２０９ａ）、端末２０が次にアップリンクすべき条件（次アップリンク判定条件）を算出し（ステップＳ２１０ａ）、センタサーバ１１０に「アップリンク判定条件」を通知する（ステップＳ２１１ａ）。
【００４０】
（４）センタサーバ１１０では、サービスサーバ２００から受け付けた「アップリンク判定条件」と、他のサービスサーバ２００ａから受け付けた「アップリンク判定条件」を比較する。
【００４１】
（５）サービスサーバ２００と他のサービスサーバ２００ａから渡された「アップリンク判定条件」が同一であれば、同一の「アップリンク判定条件」をもつＳＳＩＤとアップリンクＩＤの対応表に、新たにＳＳＩＤを追加することでアップリンク要求を統合し、以前のアップリンクＩＤをクリアする（ステップＳ２１２）。すでに端末２０に送信している同一の「アップリンク判定条件」に対する端末情報アップリンクが行われると（ステップＳ２１３、Ｓ２１４、Ｓ２１５、Ｓ２０７）、アップリンクＩＤとＳＳＩＤの対応表を参照して、同一の「アップリンク判定条件」をもつ複数のサービスサーバの情報を取得し、これらのサービスサーバヘ「端末情報」をディスパッチする（ステップＳ２０８）。
（６）サービスサーバ２００と他のサービスサーバ２００ａのサービスサーバ２００から受け付けた「アップリンク判定条件」が異なる場合は、各サービスサーバから受信した「アップリンク判定条件」を、そのまま端末２０に通知する。
【００４２】
（７）センタサーバ１１０は、サービスサーバ２００またはサービスサーバ２００ａから「アップリンク終了要求」を受けた場合（ステップＳ２１６またはＳ２１６ａ）、当該サービスサーバ（アップリンク終了要求をしたサービスサーバ）のＳＳＩＤに対応したアップリンクＩＤを同一アップリンク契機とする別ＳＳＩＤが存在する場合、端末２０に「端末情報アップリンク終了要求」を送信せずに、センタサーバ１１０におけるアップリンクＩＤとＳＳＩＤの対応表から、該当するサービスサーバのＳＳＩＤをクリアする。（これにより、同一アップリンク契機のアップリンクＩＤをもつ「端末情報アップリンク」をセンタサーバ１１０が受信しても、アップリンク終了要求をしたサービスサーバに「端末情報アップリンク」がディスパッチされることはなくなる）。
また、「アップリンク終了」を要求したサービスサーバのＳＳＩＤに対応したアップリンクＩＤを同一アップリンク契機とする別ＳＳＩＤが存在しない場合、センタサーバ１１０は端末２０に「端末情報アップリンク終了要求」を送信する（ステップＳ２１７、Ｓ２１８）。端末２０は「端末情報アップリンク終了要求」を受信後、正常受付（Ａｃｋ）あるいはエラー（Ｎａｃｋ）のリプライをセンタサーバ１１０に行い、正常受付の場合は「アップリンク判定条件」をクリアし、端末情報アップリンクを終了する（ステップＳ２１９、Ｓ２２０、Ｓ２２１）。
【００４３】
また、図７は、車載端末１０の構成例を示すブロック図であり、ＧＰＳなどの位置取得機能と、出発地と目的地間の走行ルートを設定するカーナビゲイション機能を有する車載端末１０に、本発明の端末情報のアップリンク指定システムを応用した例である。
【００４４】
まず、図７に示す車載端末１０の全体構成の概要について説明すると、位置取得装置１１はＧＰＳなどであり車載端末１０自身の現在位置を取得するための装置であり、位置取得装置１１からの信号は位置信号制御部１１ａを介して「位置情報（例えば、緯度、経度など）」として処理部３０に送られる。また、速度取得装置１５は、回転計などの車両の走行速度を計測する装置であり、速度取得装置１５からの信号は、速度信号制御装置１５ａを介して処理部３０に送られる。
また、無線通信端末１２は、センタサーバ１１０と通信ネットワークを介して通信を行うための装置であり、通信制御部５０により車載端末１０と接続される。
【００４５】
また、入力部３１は、車載端末１０の操作及び各種のカーナビ機能の設定操作を行うための入力部である。ディスプレイ（画面表示部）３２は、通知制御部３４をから受信した画像情報を表示し、同様に、スピーカ（音声通知部）３３は、通知制御部３４から受信した音声情報を出力する。また、記憶部３５は車載端末１０の処理に必要なデータを記憶する。ルート計算部３６は、設定された出発地と目的地の間のルートを地図ＤＢ５１を参照し、候補となるルートや所要予測時間などを計算するための処理部である。また、アップリンク処理部４０は本発明によるアップリンク処理を行うための処理部である。
【００４６】
また、個人情報記憶部５１は、車載端末１０の利用者の個人情報や、センタサーバ１１０にアクセスする際に必要なユーザＩＤ、パスワードなどを記憶するための記憶部である。設定情報記憶部５２は、車載端末１０内の各機能及び各処理部に対する各種の設定情報を記憶するための記憶部である。また、地図ＤＢ５１は、カーナビ機能を使用する場合に必要な地図データ、その他のサービス情報を記憶するデータベースである。
【００４７】
次に、本発明に直接関係する部分について説明する。アップリンク処理部４０が本発明による端末情報のアップリンク指定システムの機能を達成するための処理を行う部分であり、アップリンク処理部４０内の端末情報アップリンク処理部４１は、端末２０の端末情報（例えば、現在位置の情報など）をセンタサーバ１１０にアップリンクするための処理部であり、アップリンク判定条件受信処理部４２は、センタサーバ１１０から「アップリンク判定条件」を受信するための処理部である。
【００４８】
また、アップリンク契機判定処理部４３は、センタサーバ１１０から受信した「アップリンク判定条件」を基に、端末情報をセンタサーバ１１０にアップリンクするタイミング（アップリンク契機）を判定するための処理部であり、アップリンク契機が訪れた時に、端末情報アップリンク処理部４１により、センタサーバ１１０に「端末情報」を送信する。
【００４９】
また、図８は、センタ１００内のセンタサーバ１１０の構成例を示すブロック図であり、本発明による端末情報のアップリンク指定システムを、端末２０にＰＯＩ情報などのサービス情報を配信する機能を有するセンタサーバ１１０に適用した例である。
【００５０】
最初に全体の構成の概要について説明すると、通信装置１２１は、端末２０やサービスサーバ２００と通信ネットワークを介して、通信を行うための通信装置であり、通信制御部１２２は通信プロトコルなどの制御を行うための処理部である。また、情報受信部１２３は、端末２０及びサービスサーバ２００からの情報を受信する処理を行う。ユーザ認証部１２４はセンタサーバ１１０に登録したユーザの認証を行うための処理部である。また、ルート情報登録部１２５は、端末２０から受信したユーザのルート情報を受信し、ユーザルート情報ＤＢ（データベース）１５２に登録するための処理部である。情報配信部１２６は、端末２０及びサービスサーバ２００に情報を配信（送信）するための処理部である。アップリンク処理部１３０は、本発明によるアップリンク判定条件の指定処理を行うための処理部である。また、サービス制御部１４１は、センタサーバ１１０におけるサービス処理を統括制御するための処理部であり、地理情報検索部１４２は、メッシュ情報ＤＢ１６１を参照し、地図情報を取得するとともに、ＰＯＩ情報ＤＢ１６２から対応するＰＯＩ情報を抽出するための処理部である。
【００５１】
また、ユーザ情報ＤＢ１５１は、このセンタサーバ１１０に登録したユーザの個人情報、ユーザＩＤ、パスワードなどを登録するためのデータベースである。また、ユーザルート情報ＤＢ１５２は、ユーザの端末２０から受信したルート情報を記録するためのデータベースである。アップリンク情報ＤＢ１４３は、アップリンクＩＤとＳＳＩＤとの対応表、アップリンク判定条件の情報などを記録するためのデータベースである。また、メッシュ情報ＤＢ１６１は、地図情報と地図を分割するメッシュ情報とを記録するデータベースである。また、ＰＯＩ情報ＤＢ１６２は、ＰＯＩ情報（端末２０の現在位置や目的地などの周辺情報）を記憶するためのデータベースであり、駐車場所、レストラン、コンビニなどに関する情報を記憶するデータベースである。
【００５２】
次に、本発明に直接関係する部分について説明すると、アップリンク処理部１３０が、本発明による端末情報のアップリンク指定システムの機能を達成するための処理部であり、アップリンク処理部１３０内の端末情報受信処理部１３１は、端末２０からの「端末情報」を、通信制御部１２２及び情報受信部１２３などを介して取得するための処理部である。
【００５３】
また、アップリンク判定条件受信処理部１３２は、１または２以上のサービスサーバ２００から、「アップリンク判定条件」を通信制御部１２２及び情報受信部１２３を介して受信するための処理部である。
【００５４】
また、アップリンク判定条件統合処理部１３３は、端末２０にサービス情報を提供するサービスサーバ２００が複数ある場合に、各サービスサーバ２００から受信した「アップリンク判定条件」に重複するものがある場合に、「アップリンク判定条件」を統合してまとめるための処理部である。
【００５５】
アップリンク判定条件送信処理部１３４は、アップリンク判定条件統合処理部１３３により統合された「アップリンク判定条件」を端末２０に送信するための処理部である。また、端末情報通知処理部１３５は、端末２０から取得した「端末情報」をサービスサーバ２００に通知するための処理部である。
【００５６】
また、アップリンク情報ＤＢ１５３は、アップリンク処理に必要な情報を記録するためのデータベースであり、例えば、アップリンク要求元のサービスサーバ２００に割り振られたサービスサーバＩＤ（ＳＳＩＤ）とアップリンクＩＤの対応表や、「アップリンク判定条件」の情報などを記録する。
【００５７】
なお、図８に示すセンタサーバ１１０内の各処理部は専用のハードウエアにより実現されるものであってもよく、メモリおよびＣＰＵ（中央処理装置）等の汎用の情報処理装置を使用して、この処理部の機能を実現するためのプログラム（図示せず）をメモリにロードして実行することによりその機能を実現させるものであってもよい。また、このセンタサーバ１１０には、周辺機器として入力装置、表示装置等（いずれも表示せず）が接続されているものとする。ここで、入力装置としては、キーボード、マウス等の入力デバイスのことをいう。表示装置とは、ＣＲＴ（Ｃａｔｈｏｄｅ  Ｒａｙ  Ｔｕｂｅ）や液晶表示装置等のことをいう。
【００５８】
以上、本発明の実施の形態について説明したが、図７に示す車載端末１０内の各処理部、及び図８に示すセンタサーバ１１０内の処理部の機能を実現するためのプログラムをコンピュータ読み取り可能な記録媒体に記録して、この記録媒体に記録されたプログラムをコンピュータシステムに読み込ませ、実行することにより、図７に示す車載端末１０内の各処理部及び図８に示すセンタサーバ１１０内の各処理部に必要な処理を行ってもよい。なお、ここでいう「コンピュータシステム」とは、ＯＳや周辺機器等のハードウェアを含むものとする。
【００５９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムを送信する場合の通信線のように、短時間の間、動的にプログラムを保持するもの（伝送媒体ないしは伝送波）、その場合のサーバやクライアントとなるコンピュータシステム内部の揮発性メモリのように、一定時間プログラムを保持しているものも含むものとする。
また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００６０】
以上、本発明の実施の形態について説明したが、本発明の端末情報のアップリンク指定システム、及びセンタサーバは、上述の図示例にのみ限定されるものではなく、本発明の要旨を逸脱しない範囲内において種々変更を加え得ることは勿論である。
【００６１】
【発明の効果】
以上説明したように、本発明の端末情報のアップリンク指定システムにおいては、センタサーバでは、端末情報をアップリンクする契機を端末自身に判定させるための「アップリンク判定条件」を指定し、この「アップリンク判定条件」を端末に送信する。端末では、受信した「アップリンク判定条件」を基に、端末情報をアップリンクする契機を端末自身で判定し、アップリンク契機が訪れた時に、センタサーバに端末情報をアップリンクする。
これにより、センタ主導により、「アップリンク判定条件」を指定して、端末側から端末情報をアップリンクさせることができる。また、「アップリンク判定条件」を変更することにより、アップリンク契機を動的に変更することができる。
【００６２】
また、本発明のセンタサーバにおいては、端末情報をアップリンクする契機を端末自身に判定させるための「アップリンク判定条件」を指定し、この「アップリンク判定条件」を端末に送信する。また、端末が「アップリンク判定条件」を基に判定したアップリンク契機に、該端末から端末情報を受信する。
これにより、センタ主導により、「アップリンク判定条件」を指定して、端末側から端末情報をアップリンクさせることができる。また、「アップリンク判定条件」を変更することにより、アップリンク契機を動的に変更することができる。
【００６３】
また、本発明のセンタサーバにおいては、センタサーバは、端末に対して複数の独立した「アップリンク判定条件（アップリンク契機）」の指定が可能であり、かつ重複した「アップリンク判定条件」が存在する場合には、これを統合する。
これにより、重複した「アップリンク判定条件（アップリンク契機）」を統合することができ、通信を効率的に行うことができる。
【００６４】
また、本発明のセンタサーバにおいては、端末にサービス情報を提供する１または２以上のサービスサーバに対して、端末から受信した端末情報を通知する。また、サービスサーバで算出された「アップリンク判定条件」を受信し、受信した「アップリンク判定条件」に重複したものが存在する場合は、「アップリンク判定条件」を統合する。
これにより、一つの端末に複数のサービスサーバがサービス情報を提供する場合に、重複した「アップリンク判定条件（アップリンク契機）」を統合することで、通信を効率的に行うことができる。
【００６５】
また、本発明の端末においては、センタサーバから、端末情報をセンタサーバにアップリンクする契機を判定するための「アップリンク判定条件」を受信し、この「アップリンク判定条件」を基に、端末情報をアップリンクする契機を判定する。そして、アップリンク契機と判定した場合に、センタサーバに端末情報をアップリンクする。
これにより、センタ主導により、「アップリンク判定条件」を指定して、端末側から端末情報をアップリンクさせることができる。また、「アップリンク判定条件」を変更することにより、アップリンク契機を動的に変更することができる。
【００６６】
また、本発明の端末情報のアップリンク指定方法においては、センタサーバでは、端末情報をアップリンクする契機を端末自身に判定させるための「アップリンク判定条件」を指定し、このアップリンク判定条件を端末に送信する。端末では、受信した「アップリンク判定条件」を基に、端末情報をアップリンクする契機を判定し、アップリンク契機が訪れた時に、センタサーバに端末情報をアップリンクする。
これにより、センタ主導により、「アップリンク判定条件」を指定して、端末側から端末情報をアップリンクさせることができる。また、「アップリンク判定条件」を変更することにより、アップリンク契機を動的に変更することができる。
【００６７】
また、本発明の端末情報のアップリンク指定方法においては、センタサーバは、端末情報をアップリンクする契機を端末自身に判定させるための「アップリンク判定条件」を指定し、この「アップリンク判定条件」の情報を端末に送信する。また、「アップリンク判定条件」を基に端末側において判定されたアップリンク契機に、該端末から端末情報を受信する。
これにより、センタ主導により、「アップリンク判定条件」を指定して、端末に端末情報をアップリンクさせることができる。また、「アップリンク判定条件」を変更することにより、アップリンク契機を動的に変更することができる。
【図面の簡単な説明】
【図１】本発明による端末情報のアップリンク指定システムの全体構成を示す図である。
【図２】本発明の端末情報のアップリンク指定システムの基本的な手段の構成例を示す図である。
【図３】本発明の端末情報のアップリンク指定システムの他の手段の構成例を示す図である。
【図４】端末とセンタサーバとの間の処理の流れを示すシーケンス図である。
【図５】アップリンク契機が一つの場合の処理フローを示す図である。
【図６】アップリンク契機が複数の場合の処理フローを示す図である。
【図７】車載端末の構成例を示すブロック図である。
【図８】センタサーバの構成例を示すブロック図である。
【図９】端末情報アップリンク開始要求のデータ構成例を示す図である。
【図１０】アップリンク項目の例を示す図である。
【図１１】アップリンク判定条件の例を示す図である。
【符号の説明】
３、４  通信端末
１０  車載端末
２０  端末
２１  アップリンク手段
２２  アップリンク判定条件受信手段
２３  アップリンク契機判定手段
１１０  センタサーバ
１１１  端末情報受信手段
１１２  アップリンク判定条件指定手段
１１３  アップリンク判定条件送信手段
１１４  端末情報通知手段
１１５  アップリンク判定条件受信手段
１１６  アップリンク判定条件統合手段
【図１】
2004282611.tif 000003
【図２】
2004282611.tif 000004
【図３】
2004282611.tif 000005
【図４】
2004282611.tif 000006
【図５】
2004282611.tif 000007
【図６】
2004282611.tif 000008
【図７】
2004282611.tif 000009
【図８】
2004282611.tif 000010
【図９】
2004282611.tif 000011
【図１０】
2004282611.tif 000012
【図１１】
2004282611.tif 000013